(57)【要約】【課題】  給湯消費が少ないかもしくは給湯消費がない場合の放熱ロスを抑制し、急な給湯要求にたいしては効率的且つ安定給湯を実現する。【解決手段】  貯湯タンク（１０）から流出させた水を加熱して貯湯タンクの上層側に戻す第１および第２の加熱手段（ＨＰ６、給湯機８）と、第１の加熱手段および第２の加熱手段の動作モードに少なくとも第１のモードと、第２のモードを含み、第１の加熱手段および第２の加熱手段の動作を制御する制御部（９）とを備え、第１のモードでは、第１の加熱手段を動作させて貯湯タンクの上層部から下層部に熱を蓄熱させ、第２のモードでは、第１の加熱手段を動作させて貯湯タンクの上層部に熱を蓄熱させればよい。【選択図】        図１
2019200044.tif 000002
【特許請求の範囲】
【請求項１】
貯湯水を上層側より給湯する貯湯タンクと、
前記貯湯タンクから流出させた水を加熱して前記貯湯タンクの上層側に戻す第１および第２の加熱手段と、
前記第１の加熱手段および前記第２の加熱手段の動作モードに少なくとも第１のモードと、第２のモードを含み、前記第１の加熱手段および前記第２の加熱手段の動作を制御する制御部と、
を備え、
前記第１のモードでは、前記第１の加熱手段を動作させて前記貯湯タンクの上層部から下層部に熱を蓄熱させ、
前記第２のモードでは、前記第１の加熱手段を動作させて前記貯湯タンクの前記上層部に熱を蓄熱させることを特徴とする給湯システム。
【請求項２】
貯湯水を上層側より給湯する貯湯タンクを含む給湯システムに搭載されるコンピュータに実行させるための給湯プログラムであって、
第１の加熱手段および第２の加熱手段の動作モードに少なくとも第１のモードと、第２のモードを含み、
前記第１のモードでは、前記第１の加熱手段を動作させて、前記貯湯タンクから流出させた水を加熱して前記貯湯タンクの上層側に戻し、前記貯湯タンクの上層部から下層部に熱を蓄熱させ、
前記第２のモードでは、前記第１の加熱手段を動作させて、前記貯湯タンクから流出させた水を加熱して前記貯湯タンクの上層側に戻し、前記貯湯タンクの前記上層部に熱を蓄熱させる機能を前記コンピュータに実現させるための給湯プログラム。
【請求項３】
第１の加熱手段および第２の加熱手段の動作モードとして第１のモードまたは第２のモードに切り替え、
前記第１のモードでは、前記第１の加熱手段を動作させて、貯湯タンクから流出させた水を加熱して前記貯湯タンクの上層側に戻し、前記貯湯タンクの上層部から下層部に熱を蓄熱させ、
前記第２のモードでは、前記第１の加熱手段を動作させて、前記貯湯タンクから流出させた水を加熱して前記貯湯タンクの上層側に戻し、前記貯湯タンクの前記上層部に熱を蓄熱させる、
工程を含むことを特徴とする給湯方法。
【発明の詳細な説明】
【技術分野】
【０００１】
本発明はたとえば、電気を利用するヒートポンプや、燃料ガスの燃焼熱を利用する給湯機など、複数の熱源機を用いる給湯技術に関する。
【背景技術】
【０００２】
電気式のヒートポンプを熱源とするヒートポンプ給湯手段と、燃焼熱を利用した補助給湯手段とを併用して給湯するハイブリッド給湯システムが知られている。
【０００３】
このハイブリッド給湯システムでは、温水を貯湯し給湯するための貯湯タンクに第１および第２の温度センサを備えるものが知られている（たとえば、特許文献１）。このシステムでは、温水分布を生じる貯湯タンク内の温水温度を異なる位置で検出することにより、第１の温度センサの検出温度で補助給湯手段の発停制御が行われ、第２の温度センサの検出温度でヒートポンプ給湯手段の発停制御が行われている。
【先行技術文献】
【特許文献】
【０００４】
【特許文献１】特開２０１１−１７４６８号公報
【発明の概要】
【発明が解決しようとする課題】
【０００５】
このような給湯システムでは、深夜電力を利用して加熱した温水を貯湯タンクに溜め、給湯需要に備えるのが一般的である。この貯湯タンクは、１日の給湯消費量に相当する貯湯量に設定される。
【０００６】
このような貯湯タンクを満水状態で温水を維持すると、深夜など、給湯消費がないか少ない時間帯では放熱ロスなどを生じるという課題がある。給湯消費が生じない場合には、熱放出により貯湯タンク内の温水温度は時間の経過とともに低下し、しかもこれを回避するための保温制御は著しいエネルギーの損失を生じ、不経済であるという課題がある。
【０００７】
そこで、本発明の目的は、上記課題に鑑み、給湯消費が少ないかもしくは給湯消費がない場合の放熱ロスを抑制し、急な給湯要求に対しては効率的且つ安定給湯を実現することにある。
【課題を解決するための手段】
【０００８】
上記目的を達成するため、本発明の給湯システムの一側面によれば、貯湯水を上層側より給湯する貯湯タンクと、前記貯湯タンクから流出させた水を加熱して前記貯湯タンクの上層側に戻す第１および第２の加熱手段と、前記第１の加熱手段および前記第２の加熱手段の動作モードに少なくとも第１のモードと、第２のモードを含み、前記第１の加熱手段および前記第２の加熱手段の動作を制御する制御部とを備えればよい。前記第１のモードでは、前記第１の加熱手段を動作させて前記貯湯タンクの上層部から下層部に熱を蓄熱させればよい。前記第２のモードでは、前記第１の加熱手段を動作させて前記貯湯タンクの前記上層部に熱を蓄熱させればよい。
【０００９】
上記目的を達成するため、本発明の給湯プログラムの一側面によれば、貯湯水を上層側より給湯する貯湯タンクを含む給湯システムに搭載されるコンピュータに実行させるための給湯プログラムであって、第１の加熱手段および第２の加熱手段の動作モードに少なくとも第１のモードと、第２のモードを含み、前記第１のモードでは、前記第１の加熱手段を動作させて、前記貯湯タンクから流出させた水を加熱して前記貯湯タンクの上層側に戻し、前記貯湯タンクの上層部から下層部に熱を蓄熱させ、前記第２のモードでは、前記第１の加熱手段を動作させて、前記貯湯タンクから流出させた水を加熱して前記貯湯タンクの上層側に戻し、前記貯湯タンクの前記上層部に熱を蓄熱させる機能をコンピュータに実現させればよい。
【００１０】
上記目的を達成するため、本発明の給湯方法の一側面によれば、第１の加熱手段および第２の加熱手段の動作モードとして第１のモードまたは第２のモードに切り替え、前記第１のモードでは、前記第１の加熱手段を動作させて、貯湯タンクから流出させた水を加熱して前記貯湯タンクの上層側に戻し、前記貯湯タンクの上層部から下層部に熱を蓄熱させ、前記第２のモードでは、前記第１の加熱手段を動作させて、前記貯湯タンクから流出させた水を加熱して前記貯湯タンクの上層側に戻し、前記貯湯タンクの前記上層部に熱を蓄熱させる工程を含んでいればよい。
【発明の効果】
【００１１】
本発明によれば、次のいずれかの効果が得られる。
【００１２】
(1) 下層側温度に基づいて加熱手段の動作を開始させる第１のモードに対し、第２のモードでは、上層側温度に基づいて加熱手段の動作を開始させるので、下層側からの放熱が抑制される。また、放熱ロスが少なく、効率的に熱を蓄熱することができる。
【００１３】
(2) 貯湯タンクの上層部には熱が蓄熱されているので、安定した給湯を行うことができる。
【図面の簡単な説明】
【００１４】
【図１】一実施の形態に係るハイブリッド給湯システムを示す図である。
【図２】貯湯タンクの実施例を示す図である。
【図３】ハイブリッド給湯システムの実施例を示す図である。
【図４】ハイブリッド制御部を示す図である。
【図５】給湯制御部およびヒートポンプ制御部の一例を示す図である。
【図６】給湯制御の処理手順を示すフローチャートである。
【図７】ヒートポンプ蓄熱制御の処理手順を示すフローチャートである。
【図８】ＨＰポンプの回転数制御の処理手順を示すフローチャートである。
【図９】給湯機蓄熱制御の処理手順を示すフローチャートである。
【図１０】動作モードの設定例を示す図である。
【図１１】給湯機が動作している場合の給湯例を示す図である。
【図１２】変形例に係るハイブリッド給湯システムの給湯制御の処理手順を示すフローチャートである。
【図１３】蓄熱制御の処理手順を示すフローチャートである。
【図１４】給湯機蓄熱制御の処理手順を示すフローチャートである。
【発明を実施するための形態】
【００１５】
＜ハイブリッド給湯システム＞
【００１６】
図１は、本発明の一実施の形態に係るハイブリッド給湯システムを示している。図１に示す構成は一例であり、本発明が斯かる構成に限定されるものではない。
【００１７】
このハイブリッド給湯システム（以下単に「給湯システム」と称する）２には、タンク部４、第１の加熱手段としてヒートポンプ（以下「ＨＰ」と称する）６、第２の加熱手段として給湯機８および制御部９が含まれる。
【００１８】
タンク部４は、貯湯タンク（以下、単に「タンク」と称する）１０を備え、上水Ｗの給水を受け、ＨＰ６および給湯機８により加熱された温水ＨＷを貯湯するとともに、給湯需要に応じて温水ＨＷを給湯する。
【００１９】
ＨＰ６はタンク１０の下層水を流出させて加熱し、タンク１０の上層側に戻す。これに対し、給湯機８はタンク１０の中層水を流出させて加熱し、タンク１０の上層側に戻す。
【００２０】
係る構成では、ＨＰ６がタンク１０の上層水、中層水および下層水のいずれも加熱することができ、給湯機８はタンク１０の上層水および中層水を加熱することができる。ＨＰ６および給湯機８により加熱した温水ＨＷをタンク１０に貯湯し、給湯需要に応じた給湯が行える。
【００２１】
ＨＰ６は給湯機８より加熱効率の高い熱源機であり、給湯機８はＨＰ６より加熱能力の高い熱源機である。加熱効率の高いＨＰ６を用いて、ＨＰ６の加熱能力に応じてタンク１０の温水ＨＷで蓄熱する。給湯需要が増大し、温水ＨＷの上層側温度が低下した場合には、加熱能力の高い給湯機８を動作させ、給湯機８による加熱によって上層側の温水ＨＷの温度を上昇させ、給湯需要に応じる。つまり、ＨＰ６の加熱能力の不足分が給湯機８の加熱能力によって補完される。
【００２２】
このような給湯機８の補完機能を利用することで、ＨＰ６の加熱能力を補うことと相まって、タンク１０の貯湯容量を低くできる。
【００２３】
制御部９は、給湯システム２を制御する制御手段の一例である。この制御部９は、ＨＰ６および給湯機８の動作モードを切り替え、動作モードに基づき、ＨＰ６および給湯機８の動作を制御する。動作モードには、少なくとも第１のモードと、第２のモードとが含まれる。第１のモードではたとえば、タンク１０の上層部から下層部に熱を蓄熱させ、第２のモードでは、タンク１０の上層部に熱を蓄熱させる。給湯消費が多い場合には第１のモードに切り替え、給湯消費が少ないかもしくは給湯消費がない場合には第２のモードに切り替えることで、安定した給湯と、放熱ロスが少なく効率的な蓄熱とを行うことができる。
【００２４】
＜タンク１０＞
【００２５】
図２は、タンク１０の一例を示している。このタンク１０はたとえば、長大な円筒状容器であり、タンク容量はたとえば、９０〔リットル〕程度である。この値は一例であり、この値に限定されるものではない。
【００２６】
このタンク１０には、上層側の最上部に出湯ポート１２−１、底部に給水ポート１２−２が備えられ、さらに、底部に水流出ポート１２−３、中部に水流出ポート１２−４、上層側の出湯ポート１２−１と並んで温水戻しポート１２−５、１２−６が備えられる。
【００２７】
出湯ポート１２−１は、タンク１０の上層側から上層部の温水ＨＷを出湯させる。この出湯に連動し、タンク１０に給水が行われる。給水ポート１２−２は給水口の一例であり、この給水ポート１２−２からタンク１０内に上水Ｗが給水される。これにより、タンク１０には所定量の貯湯水が維持される。
【００２８】
水流出ポート１２−３は第１の水流出口の一例であり、この水流出ポート１２−３から下層水を流出させ、ＨＰ６で加熱する。このＨＰ６で得られる温水ＨＷは温水戻しポート１２−５よりタンク１０の上層部に戻される。
【００２９】
水流出ポート１２−４は第２の水流出口の一例であり、この水流出ポート１２−４から中層水を流出させ、給湯機８で加熱する。この給湯機８で得られた温水ＨＷは温水戻しポート１２−６よりタンク１０の上層部に戻される。
【００３０】
このように、タンク１０の上層側から給湯するとともに下層側から給水し、加熱後の温水ＨＷは上層側に戻されるので、貯湯水の温度分布は下層側から上層側に向かって高温となる複数階層の蓄熱領域が構築される。この実施の形態では、９層の蓄熱領域を想定している。破線は仮想した蓄熱領域Ｉ、II、III ・・・IXを示している。
【００３１】
そして、このタンク１０には、最下層側に第１の邪魔板１４−１、最上層側に第２の邪魔板１４−２が配置されている。邪魔板１４−１は上に凸となる湾曲形状であり、邪魔板１４−２は下に凸となる湾曲形状である。したがって、邪魔板１４−１は蓄熱領域Ｉ側の給水による階層蓄熱の乱れを防止し、邪魔板１４−２は出湯、温水戻しによる蓄熱領域IX側の階層蓄熱の乱れを防止する。つまり、邪魔板１４−１、１４−２は階層蓄熱領域の防護手段であって、これによりタンク１０内に安定した蓄熱領域が確保される。
【００３２】
このタンク１０には複数の温度センサとして４組の温度センサ１６−１、１６−２、１６−３、１６−４が配置されている。温度センサ１６−１はその上層側温度を検出する第１の温度センサの一例であり、温度センサ１６−４は貯湯タンク１０の下層側温度を検出する第２の温度センサの一例であり、温度センサ１６−２は貯湯タンク１０の中層側温度を検出する第３の温度センサの一例である。この温度センサ１６−２は温度センサ１６−１と温度センサ１６−４の間に配置される。
【００３３】
温度センサ１６−１は、ＨＰ６および給湯機８の加熱開始温度を計測する。この温度センサ１６−１では、ＨＰ６や給湯機８からの温水戻しによる温水ＨＷの熱の影響を受けない蓄熱領域VIIIと蓄熱領域IXの境界部温度を計測している。
【００３４】
温度センサ１６−２はＨＰ６および給湯機８の加熱停止温度を計測する。この例では、水流出ポート１２−４が蓄熱領域VIと蓄熱領域VII の境界部に配置されている。この温度センサ１６−２では、水流出ポート１２−４より上側としてたとえば、蓄熱領域VIと蓄熱領域VII の境界部より上側温度を計測している。
【００３５】
温度センサ１６−３は蓄熱状態の温度計測を行う。この例ではたとえば、蓄熱領域IVと蓄熱領域Ｖの境界部温度を計測している。
【００３６】
温度センサ１６−４は、ＨＰ６の加熱開始温度を計測する。この例では蓄熱領域IIと蓄熱領域IIIの境界部温度を計測している。
【００３７】
このタンク１０では邪魔板１４−１、１４−２を備えたことにより、上層部ＤＨの蓄熱領域IXでは給湯機８からの温水戻りによる温水の乱れを考慮し、ある程度の蓄熱量が確保される。下層部ＤＬの蓄熱領域Ｉ、IIでは短時間内でＨＰ６の発停が繰り返されない蓄熱状態が確保されている。また、中上層部ＤＭの蓄熱領域VII 、VIIIは短時間内で給湯機８の発停が繰り返されない蓄熱状態が確保される。
【００３８】
給湯システム２ではたとえば、温度センサ１６−４が検出する下層側温度に基づいてＨＰ６の動作を開始させ、温度センサ１６−１が検出する上層側温度に基づいて給湯機８の動作を開始させる制御を既述の第１のモードとすることができる。温度センサ１６−１が検出する上層側温度に基づいてＨＰ６の動作を開始させるとともに、給湯機８の動作を開始させる制御を既述の第２のモードとすることができる。この第２のモードでは、タンク１０の上層部の蓄熱完了後にＨＰ６を停止させればよい。
【００３９】
＜給湯システム２の実施例＞
【００４０】
図３は、給湯システム２の実施例を示している。
【００４１】
タンク部４は、ＨＰ６または給湯機８と共通の筐体を備えてもよいし、別個の筐体を備えてもよい。この筐体には温度センサ１６−５が備えられる。この温度センサ１６−５は、外気温度を検出する。
【００４２】
タンク１０の出湯ポート１２−１には出湯路１８−１が接続され、この出湯路１８−１からタンク１０の上層水が給湯の需要箇所に給湯される。この需要箇所にはたとえば、給湯栓が備えられ、この給湯栓を開くことにより、出湯が開始される。この出湯路１８−１には、タンク１０側（上流側）より下流側に向かって加圧逃がし弁２０−１、温度センサ１６−６、１６−７、混合水規制弁２０−２が備えられる。この出湯路１８−１にはバイパス路１８−３が分岐され、給水路１８−２側に接続されている。
【００４３】
加圧逃がし弁（バキュームブレーカー内蔵）２０−１は出湯路１８−１を通してタンク１０の内圧を外気に放出してタンク１０の加圧状態を緩和させるほか、加圧破壊弁の機能を果たす。温度センサ１６−６は、タンク１０からの出湯水の出湯温度を検出する。温度センサ１６−７は、バイパス路１８−３からの上水Ｗと温水ＨＷとの混合水の温度を検出する。混合水規制弁２０−２は、出湯する混合水の流量を開度によって規制する。
【００４４】
タンク１０の給水ポート１２−２には給水路１８−２が接続され、タンク１０からの出湯に応じて上水Ｗが給水される。この給水路１８−２には上水Ｗの上流側より下流側に向かって温度センサ１６−８、減圧弁２０−３、給水逆止弁２０−４、水量センサ２２−１、ミキシング弁２０−５およびタンク逆止弁２０−６が備えられる。温度センサ１６−８は上水Ｗの給水温度を検出する。減圧弁２０−３は上水圧の減圧に用いられる。給水逆止弁２０−４は、上水Ｗの水源側との縁切り手段の一例であり、たとえば断水時、給水上流側が負圧となった場合、タンク１０が急激な負圧にならないように機能する。水量センサ２２−１は給湯時の水流、給湯または給水流量を検出する。ミキシング弁２０−５は開度に応じてバイパス路１８−３側に流す上水量を調整する。このバイパス路１８−３側への上水量の調整により混合水温度が所定の出湯温度に調整される。タンク逆止弁２０−６はタンク１０から上水Ｗ側への逆流を阻止する。
【００４５】
水流出ポート１２−３および温水戻しポート１２−５には第１の循環路としてヒートポンプ循環路（以下、単に「循環路」と称する）２４が接続され、ＨＰ６が接続されている。この循環路２４の往き管２４−１側にＨＰポンプ２６−１および温度センサ１６−９、その戻り管２４−２に温度センサ１６−１０および加熱水切替弁２０−７が備えられる。往き管２４−１と戻り管２４−２には加熱水切替弁２０−７を介してバイパス路２４−３が形成されている。タンク１０の貯湯水を加熱する際、ＨＰポンプ２６−１を駆動し、タンク１０の下層水を流出させて循環路２４からＨＰ６に循環させる。往き管２４−１、戻り管２４−２に付された矢印は循環水の循環方向を示している。
【００４６】
温度センサ１６−９はＨＰ６で加熱される前の水温を検出する。温度センサ１６−１０はＨＰ６で加熱された温水ＨＷの温度を検出する。加熱水切替弁２０−７は、タンク１０の貯留水の加熱時、戻り管２４−２の温水ＨＷを温水戻しポート１２−５に流し、タンク１０の貯留水の非加熱時、戻り管２４−２の温水ＨＷを往き管２４−１側に切り替える。
【００４７】
水流出ポート１２−４と温水戻しポート１２−６には第２の循環路として給湯機循環路（以下、単に「循環路」と称する）２８が接続され、給湯機８が接続されている。この循環路２８の往き管２８−１側に給湯ポンプ２６−２が備えられる。タンク１０の貯湯水を加熱する際、給湯ポンプ２６−２を駆動し、タンク１０の中層水を流出させて給湯機８に循環させる。
【００４８】
ＨＰ６にはＨＰ回路３０、ＨＰ熱交換器３２および温度センサ１６−１１が含まれる。ＨＰ回路３０にはＨＰ６の冷媒としてＣＯ2を循環させる。ＨＰ熱交換器３２は、ＨＰ回路３０に循環する冷媒と循環路２４の循環水との熱交換を行い、冷媒の熱で循環水を加熱する。温度センサ１６−１１は、熱交換後の循環水の温度を検出する。ＨＰ回路３０にはＨＰ熱交換器３２のほか、膨張弁、空気熱交換機、圧縮機を含むたとえば、ＣＯ2冷媒サイクルが用いられる。空気熱交換機では冷媒に大気からの吸熱を行い、圧縮機では電力により冷媒の圧縮を行う。
【００４９】
給湯機８には循環路２８の循環水を加熱する熱交換器３４が備えられる。熱交換器３４は、バーナ３６の燃焼熱と循環路２８の循環水との熱交換を行い、循環水を加熱する。バーナ３６には燃料ガスを燃焼させるバーナを用いればよいが、燃料に灯油などの液体燃料や固体燃料を用いるバーナを用いてもよい。
【００５０】
この熱交換器３４の入り側には循環路２８の往き管２８−１、その出側に戻り管２８−２が接続されている。給湯ポンプ２６−２を動作させることにより、タンク１０の中層水を熱交換器３４に循環させる。往き管２８−１、戻り管２８−２に付された矢印は循環水の循環方向を示している。
【００５１】
往き管２８−１側には温度センサ１６−１２、水量センサ２２−２、ミキシング弁２０−８が備えられている。温度センサ１６−１２はタンク１０から熱交換器３４に入る循環水の温度を検出する。水量センサ２２−２は循環水の水流の有無、循環流量を検出する。ミキシング弁２０−８は、開度に応じて往き管２８−１からバイパス路２８−３を通って戻り管２８−２に循環水を循環させる。バイパス路２８−３は戻り管２８−２を分岐し、ミキシング弁２０−８を介して往き管２８−１に接続されている。
【００５２】
戻り管２８−２側には温度センサ１６−１３、混合水規制弁２０−９および温度センサ１６−１４が備えられている。温度センサ１６−１３は熱交換後の循環水の温度を検出する。混合水規制弁２０−９は熱交換前後の混合による循環水の流量を開度によって規制する。温度センサ１６−１４は、熱交換前後の混合水である戻り管２８−２側の循環水の温度を検出する。
【００５３】
＜ハイブリッド制御部＞
【００５４】
この給湯システム２にはハイブリッド制御部３８が備えられる。図４および図５は、このハイブリッド制御部３８の一例を示している。
【００５５】
このハイブリッド制御部３８は制御部９の一例であり、このハイブリッド制御部３８にはタンク制御部３８−１、ＨＰ制御部３８−２、給湯機制御部３８−３およびリモコン制御部３８−４が備えられる。タンク制御部３８−１は、タンク部４に備えられ、各部検出温度に基づき、タンク部４のＨＰポンプ２６−１、給湯ポンプ２６−２を含む各機能部を制御する。
【００５６】
ＨＰ制御部３８−２はＨＰ６に備えられ、ＨＰ６の機能部を制御する。給湯機制御部３８−３は給湯機８に備えられ、各部検出温度に基づき、ミキシング弁２０−８を含む各機能部を制御する。リモコン制御部３８−４はリモコン装置４８に備えられ、タンク制御部３８−１、ＨＰ制御部３８−２および給湯機制御部３８−３と連係し、各制御部に対する指示や各制御部からの情報表示などの制御を行う。
【００５７】
タンク制御部３８−１は図４に示すように、コンピュータによって構成され、プロセッサ４０−１、メモリ部４２−１、システム通信部４４−１および入出力部（Ｉ／Ｏ）４６−１が備えられる。プロセッサ４０−１は、メモリ部４２−１に格納されたプログラムを実行し、タンク部４の機能制御、情報表示などの情報処理を行う。メモリ部４２−１にはプログラムや、情報処理によって得られる制御情報が格納される。このメモリ部４２−１にはハードディスクや半導体メモリなどの記録媒体を用いればよく、この記録媒体には不揮発性メモリを用いればよい。このメモリ部４２−１にはＲＯＭ（Read-Only Memory）やＲＡＭ（Random-Access Memory）が含まれる。
【００５８】
システム通信部４４−１はプロセッサ４０−１の制御により、ＨＰ制御部３８−２、給湯機制御部３８−３およびリモコン制御部３８−４と通信ケーブル５０により連係され、各部間の制御情報の送受を担当する。通信ケーブル５０は単一線で例示しているが実際にはタンク制御部３８−１に対し、ＨＰ制御部３８−２、給湯機制御部３８−３およびリモコン制御部３８−４の３系統の通信回路を構成している。
【００５９】
Ｉ／Ｏ４６−１には複数の温度センサ１６−１、１６−２・・・１６−１０、水量センサ２２−１から検出信号が取り込まれる。このＩ／Ｏ４６−１から制御出力がＨＰポンプ２６−１、給湯ポンプ２６−２などの機能部に出力される。
【００６０】
ＨＰ制御部３８−２は図５に示すように、コンピュータによって構成され、プロセッサ４０−２、メモリ部４２−２、システム通信部４４−２およびＩ／Ｏ４６−２が備えられる。プロセッサ４０−２は、メモリ部４２−２に格納されたプログラムを実行し、ＨＰ６の機能制御などの情報処理を行う。メモリ部４２−２にはプログラムや、情報処理によって得られる制御情報が格納される。このメモリ部４２−２にはハードディスクや半導体メモリなどの記録媒体を用いればよく、この記録媒体には不揮発性メモリを用いればよい。このメモリ部４２−２にはＲＯＭやＲＡＭが含まれる。
【００６１】
システム通信部４４−２はプロセッサ４０−２の制御により、タンク制御部３８−１、給湯機制御部３８−３およびリモコン制御部３８−４と通信ケーブル５０により連係され、各部間の制御情報の送受を担当する。
【００６２】
Ｉ／Ｏ４６−２には温度センサ１６−１１などから検出信号が取り込まれる。このＩ／Ｏ４６−２から制御出力がＨＰ６の機能部に出力される。
【００６３】
給湯機制御部３８−３はコンピュータによって構成され、プロセッサ４０−３、メモリ部４２−３、システム通信部４４−３およびＩ／Ｏ４６−３が備えられる。プロセッサ４０−３は、メモリ部４２−３に格納されたプログラムを実行し、給湯機８の機能制御などの情報処理を行う。メモリ部４２−３にはプログラムや、情報処理によって得られる制御情報が格納される。このメモリ部４２−３にはハードディスクや半導体メモリなどの記録媒体を用いればよく、この記録媒体には不揮発性メモリを用いればよい。このメモリ部４２−３にはＲＯＭやＲＡＭが含まれる。
【００６４】
システム通信部４４−３はプロセッサ４０−３の制御により、タンク制御部３８−１、ＨＰ制御部３８−２およびリモコン制御部３８−４と通信ケーブル５０により連係され、各部間の制御情報の送受を担当する。
【００６５】
Ｉ／Ｏ４６−３には複数の温度センサ１６−１２、１６−１３、１６−１４や水量センサ２２−２などから検出信号が取り込まれる。このＩ／Ｏ４６−３から制御出力が給湯機８の機能部に出力される。
【００６６】
リモコン制御部３８−４はコンピュータによって構成され、プロセッサ４０−４、メモリ部４２−４、システム通信部４４−４およびＩ／Ｏ４６−４が備えられる。プロセッサ４０−４は、メモリ部４２−４に格納されたプログラムを実行し、リモコン装置４８の機能制御や表示制御などの情報処理を行う。メモリ部４２−４にはプログラムや、情報処理によって得られる制御情報が格納される。このメモリ部４２−４にはハードディスクや半導体メモリなどの記録媒体を用いればよく、この記録媒体には不揮発性メモリを用いればよい。このメモリ部４２−４にはＲＯＭやＲＡＭが含まれる。
【００６７】
システム通信部４４−４はプロセッサ４０−４の制御により、タンク制御部３８−１、ＨＰ制御部３８−２および給湯機制御部３８−３と通信ケーブル５０により連係され、各部間の制御情報の送受を担当する。
【００６８】
Ｉ／Ｏ４６−４には入力スイッチ（ＳＷ）５２、操作表示部５４、ＬＥＤ表示器５６などが接続されている。ＳＷ５２は操作入力部の一例であり、電源投入、設定温度の入力、ユーザによる操作入力などを行う。操作表示部５４には入力情報や、リモコン装置４８がタンク部４、ＨＰ６または給湯機８から受けた制御情報や警告情報を表示する。この表示はたとえば、画像によって表示される。ＬＥＤ表示器５６は緊急時の表示や、駆動中を点灯によって表示するなどの表示機能を果たす。操作表示部５４にはたとえば、タッチセンサを用いればよい。
【００６９】
＜処理手順＞
【００７０】
この給湯システム２の制御には、給湯制御（図６）、ＨＰ６の蓄熱制御（図７、図８）、給湯機８の蓄熱制御（図９）が含まれる。これらの制御はたとえば、タンク制御部３８−１で行われる。
【００７１】
図６は、給湯制御の処理手順を示している。この処理手順は給湯プログラムにより実行される処理や、給湯方法の一例である。
【００７２】
この処理手順では、給水の有無を判定する（Ｓ１０１）。この給水ないし給湯の有無は、水量センサ２２−１の検出により行えばよい。この給水は給湯に連動しており、給湯時、タンク１０に給水が行われる。この給水がなければ（Ｓ１０１のＮＯ）、給水があるまで待機する。
【００７３】
給水があれば（Ｓ１０１のＹＥＳ）、タンク部４ではフィード・フォワード（ＦＦ）制御が実行される（Ｓ１０２）。このＦＦ制御では、温度センサ１６−６、１６−８の検出温度を参照し、給湯設定温度に応じてミキシング弁２０−５の開度比率を調整する。温度センサ１６−６はタンク１０から出湯される温水ＨＷの出湯温度Ｔ６を検出し、温度センサ１６−８はタンク１０に対する上水Ｗの給水温度Ｔ８を検出する。
【００７４】
このＦＦ制御の開始の後、ミキシング弁２０−５の動作の完了を待機する（Ｓ１０３）。このミキシング弁２０−５の動作完了に呼応し、フィード・バック（ＦＢ）制御が実行される（Ｓ１０４）。このＦＢ制御では、温度センサ１６−７の検出温度を参照し、給湯設定温度に応じてミキシング弁２０−５の開度比率を調整する。温度センサ１６−７はタンク１０から出湯される温水ＨＷと上水Ｗの混合水温度Ｔ７を検出する。
【００７５】
再び給水の有無を判定する（Ｓ１０５）。給水があれば（Ｓ１０５のＹＥＳ）、給湯需要に応ずるため、ＦＢ制御（Ｓ１０４）の継続と給水の判定を継続して行う。
【００７６】
そして、給水が終了すれば（Ｓ１０５のＮＯ）、給湯終了につき、Ｓ１０１に戻り、Ｓ１０１〜Ｓ１０５の各処理を継続して行う。
【００７７】
図７は、ＨＰ６の蓄熱制御の処理手順を示している。このＨＰ６の蓄熱制御では、通常モード、省エネモードおよびオフモードを含む複数の動作モードが備えられ、これらの動作モードの切り替えが行われている。通常モードは、第１のモードの一例であり、給湯消費が見込まれる時間帯に用いられる。この通常モードでは、タンク１０の上層部ＤＨから下層部ＤＬまでのタンク１０の全体に加熱された温水ＨＷを貯湯して蓄熱部として用いることにより、高い給湯消費に対応するとともに、給湯機８よりも加熱効率の高いＨＰ６による加熱比率を高めている。省エネモードは、第２のモードの一例であり、給湯消費の発生が想定されていない時間帯に用いられる。この省エネモードでは、タンク１０の上層部ＤＨおよび中上層部ＤＭに加熱された温水ＨＷを貯湯して蓄熱部として用いることにより、急な給湯消費に対応するとともに、タンク１０の下部側からの放熱ロスを抑制している。オフモードは、第３のモードの一例であり、省エネモードと同様に給湯消費の発生が想定されていない時間帯に用いられる。このオフモードでは、第３の制御が行われ。基本的には温水ＨＷの貯湯を行わず、タンク１０からの放熱ロスを一層抑制するとともに、給湯機８を動作させて急な給湯消費に対応する。
【００７８】
ＨＰ６の蓄熱制御の処理手順では、ＨＰ６の駆動指示を判定する（Ｓ２０１）。駆動指示があれば（Ｓ２０１のＹＥＳ）、動作モードが通常モードであるかを判定する（Ｓ２０２）。
【００７９】
（通常モード）
【００８０】
動作モードが通常モードであれば（Ｓ２０２のＹＥＳ）、温度センサ１６−４の検出温度Ｔ４が下限基準温度ＴＭ未満か（Ｔ４＜ＴＭ）を判定する（Ｓ２０３）。下限基準温度ＴＭはＨＰ６がオーバーヒートする温度から一定温度としてたとえば、−３〔℃〕だけ低い温度であり、ＴＭ＝４５〔℃〕を設定している。
【００８１】
Ｔ４＜ＴＭであれば（Ｓ２０３のＹＥＳ）、加熱水切替弁２０−７をリターン（バイパス路２４−３）側に切り替え、ＨＰポンプ２６−１の回転数Ｎｆを一定回転数としてたとえば、Ｎｆ＝２０００〔ｒｐｍ〕に設定し、ＨＰ６を起動する（Ｓ２０４）。
【００８２】
このＨＰ６の起動の後、温度センサ１６−１０の検出温度Ｔ１０が一定温度ＴＬ以上か（Ｔ１０≧ＴＬ）を判定する（Ｓ２０５）。この例では、ＨＰ６がオーバーヒートする温度から一定温度としてたとえば、−５〔℃〕だけ低い温度であり、ＴＬ＝４３〔℃〕を設定している。Ｔ１０≧ＴＬでなければ（Ｓ２０５のＮＯ）、Ｓ２０３に戻り、Ｓ２０３〜Ｓ２０５の処理を実行する。
【００８３】
Ｔ１０≧ＴＬであれば（Ｓ２０５のＹＥＳ）、加熱水切替弁２０−７をタンク１０側に切り替え（Ｓ２０６）、温度センサ１６−１０の検出温度Ｔ１０が一定温度ＴＨ（Ｔ１０＝ＴＨ）になるようにＨＰポンプ２６−１の回転数を制御する（Ｓ２０７）。この場合、出湯路１８−１の出湯温度であるシステム給湯設定温度が所定温度としてたとえば、６０〔℃〕以下であれば、ＴＨ＝６５〔℃〕に設定し、それ以外の場合には、ＴＨ＝システム給湯設定温度＋５〔℃〕に設定する。
【００８４】
Ｔ１０＝ＴＨにした後、温度センサ１６−９の検出温度Ｔ９がＴＭ以上か（Ｔ９≧ＴＭ）を判定する（Ｓ２０８）。この場合、ＨＰ６がオーバーヒートする温度より一定温度としてたとえば、−３〔℃〕だけ低い温度であり、ＴＭ＝４５〔℃〕である。
【００８５】
Ｔ９≧ＴＭでなければ（Ｓ２０８のＮＯ）、ＨＰ６の駆動指示があるかを判定する（Ｓ２０９）。ＨＰ６の駆動指示があれば（Ｓ２０９のＹＥＳ）、Ｓ２０７に戻り、Ｓ２０７〜Ｓ２０９の処理を継続する。
【００８６】
そして、Ｓ２０１、Ｓ２０９において、ＨＰ６の駆動指示がなければ（Ｓ２０１のＮＯ、Ｓ２０９のＮＯ）、Ｓ２０３でＴ４＜ＴＭでなければ（Ｓ２０３のＮＯ）、Ｓ２０８でＴ９≧ＴＭであれば（Ｓ２０８のＹＥＳ）、加熱水切替弁２０−７をリターン（バイパス路２４−３）側に切り替え、ＨＰポンプ２６−１を停止し、ＨＰ６を停止させ（Ｓ２１０）、Ｓ２０１に戻る。
【００８７】
（省エネモード）
【００８８】
Ｓ２０２において、動作モードが通常モードでなければ（Ｓ２０２のＮＯ）、動作モードが省エネモードであるかを判定する（Ｓ２１１）。動作モードが省エネモードであれば（Ｓ２１１のＹＥＳ）、温度センサ１６−１の検出温度Ｔ１が比較温度ＴＳ１としてたとえば、６３〔℃〕未満（Ｔ１＜ＴＳ１）であるか判定する（Ｓ２１２）。
【００８９】
この場合、給湯設定温度がたとえば、６０〔℃〕以下であれば、ＴＳ１＝６３〔℃〕に設定し、それ以外は給湯設定温度より一定温度たとえば、＋３〔℃〕に設定すればよい。
【００９０】
システム給湯設定温度はたとえば、６０〔℃〕以下、６５〔℃〕、７０〔℃〕、７５〔℃〕の温度設定とする。温度センサ１６−１の検出温度Ｔ１の判定では、システム給湯設定温度が６０〔℃〕以下であれば、ＴＳ１＝６３〔℃〕、システム給湯設定温度が６５〔℃〕であれば、ＴＳ１＝６８〔℃〕、システム給湯設定温度が７０〔℃〕であれば、ＴＳ１＝７３〔℃〕、システム給湯設定温度が７５〔℃〕であれば、ＴＳ１＝７８〔℃〕に設定すればよい。
【００９１】
Ｔ１＜ＴＳ１であれば（Ｓ２１２のＹＥＳ）、通常モードで実行したＳ２０３〜Ｓ２０８を実行する（Ｓ２１３〜Ｓ２１８）。なお、Ｓ２１５においてＴ１０≧ＴＬでなければ（Ｓ２１５のＮＯ）、Ｓ２１２に戻り、Ｓ２１２〜Ｓ２１５の処理を実行する。
【００９２】
Ｓ２１８において、Ｔ９≧ＴＭでなければ（Ｓ２１８のＮＯ）、温度センサ１６−２の検出温度Ｔ２が比較温度ＴＳ２以上であるか（Ｔ２≧ＴＳ２）を判定する（Ｓ２１９）。この場合、給湯設定温度がたとえば、６０〔℃〕以下であれば、ＴＳ２＝６３〔℃〕に設定し、それ以外は給湯設定温度より一定温度たとえば、＋３〔℃〕に設定すればよい。
【００９３】
既述のシステム給湯設定温度はたとえば、６０〔℃〕以下、６５〔℃〕、７０〔℃〕、７５〔℃〕の温度設定とすれば、給湯機８の戻り管２８−２からの出湯設定温度は、ＴＨ＝６０〔℃〕以下：７０〔℃〕、ＴＨ＝６５〔℃〕：７５〔℃〕、ＴＨ＝７０または７５〔℃〕：８０〔℃〕に設定する。これにより、温度センサ１６−２の検出温度Ｔ２の判定では、システム給湯設定温度が６０〔℃〕以下であれば、ＴＳ２＝６３〔℃〕、システム給湯設定温度が６５〔℃〕であれば、ＴＳ２＝６８〔℃〕、システム給湯設定温度が７０〔℃〕であれば、ＴＳ２＝７３〔℃〕、システム給湯設定温度が７５〔℃〕であれば、ＴＳ２＝７８〔℃〕に設定すればよい。この実施例では、ＴＳ１＝ＴＳ２に設定されている。
【００９４】
Ｔ２≧ＴＳ２でなければ（Ｓ２１９のＮＯ）、ＨＰ６の駆動指示があるかを判定する（Ｓ２２０）。ＨＰ６の駆動指示があれば（Ｓ２２０のＹＥＳ）、Ｓ２１７に戻り、Ｓ２１７〜Ｓ２２０の処理を継続する。
【００９５】
そして、Ｓ２１２でＴ１＜ＴＳ１でなければ（Ｓ２１２のＮＯ）、Ｓ２１３でＴ４＜ＴＭでなければ（Ｓ２１３のＮＯ）、Ｓ２１８でＴ９≧ＴＭであれば（Ｓ２１８のＹＥＳ）、Ｓ２１９でＴ２≧ＴＳ２であれば（Ｓ２１９のＹＥＳ）、Ｓ２２０でＨＰ６の駆動指示がなければ（Ｓ２２０のＮＯ）、加熱水切替弁２０−７をリターン（バイパス路２４−３）側に切り替え、ＨＰポンプ２６−１を停止し、ＨＰ６を停止させ（Ｓ２１０）、Ｓ２０１に戻る。
【００９６】
（オフモード）
【００９７】
Ｓ２１１において、動作モードが省エネモードでなければ（Ｓ２１１のＮＯ）、Ｓ２０１に戻る。つまり、オフモードでは、ＨＰ６は起動しない。
【００９８】
この処理手順では、ＨＰポンプ２６−１の回転数制御（Ｓ２０７、Ｓ２１７）に温度センサ１６−１０の検出温度Ｔ１０を用いたが、ＨＰ６の応答を重視して検出温度Ｔ１０に代えて温度センサ１６−１１の検出温度Ｔ１１を使用してもよい。
【００９９】
図８は、ＨＰポンプ２６−１の回転制御処理手順の一例であり、ＨＰ６の蓄熱制御（図７）のＨＰポンプ２６−１の回転制御処理（Ｓ２０７およびＳ２１７）に用いられる。
【０１００】
この処理手順では、温度センサ１６−１０の検出温度Ｔ１０が一定温度ＴＨか（Ｔ１０＝ＴＨ）を判定する（Ｓ２２１）。Ｔ１０＝ＴＨであれば（Ｓ２２１のＹＥＳ）、ＨＰポンプ２６−１の回転数を変更することなくＳ２０８またはＳ２１８へ移行する。
【０１０１】
Ｔ１０＝ＴＨでなければ（Ｓ２２１のＮＯ）、検出温度Ｔ１０が一定温度ＴＨ以上か（Ｔ１０≧ＴＨ）を判定する（Ｓ２２２）。Ｔ１０≧ＴＨであれば（Ｓ２２２のＹＥＳ）、ＨＰポンプ２６−１の回転数を増加させる（Ｓ２２３）。Ｔ１０≧ＴＨでなければ（Ｓ２２２のＮＯ）、ＨＰポンプ２６−１の回転数を減少させ、ＨＰポンプ２６−１の回転数を最低回転数たとえば、５００〔ｒｐｍ〕に減少させる（Ｓ２２４）。
【０１０２】
ＨＰポンプ２６−１の回転数の増加後（Ｓ２２３）またはＨＰポンプ２６−１の回転数の減少後（Ｓ２２４）、Ｓ２２１に戻り、Ｓ２２１〜Ｓ２２４の処理を継続する。
【０１０３】
ＨＰポンプ２６−１の回転数制御（Ｓ２０７、Ｓ２１７）に温度センサ１６−１１の検出温度Ｔ１１を使用する場合、検出温度Ｔ１０に代えて温度センサ１６−１１の検出温度Ｔ１１を使用して、ＨＰポンプ２６−１の回転数を制御すればよい。
【０１０４】
図９は、給湯機８の蓄熱制御の処理手順を示している。この処理手順では、リモコン装置４８が動作しているかを判定する（Ｓ３０１）。リモコン装置４８が動作していれば（Ｓ３０１のＹＥＳ）、動作モードが通常モードであるかを判定する（Ｓ３０２）。
【０１０５】
（通常モード）
【０１０６】
動作モードが通常モードであれば（Ｓ３０２のＹＥＳ）、温度センサ１６−１の検出温度Ｔ１が比較温度ＴＳ１としてたとえば、６３〔℃〕未満（Ｔ１＜ＴＳ１）であるか判定する（Ｓ３０３）。
【０１０７】
この場合、給湯設定温度がたとえば、６０〔℃〕以下であれば、ＴＳ１＝６３〔℃〕に設定し、それ以外は給湯設定温度より一定温度たとえば、＋３〔℃〕に設定すればよい。給湯機８は給湯設定温度より所定温度たとえば、１０〔℃〕だけ高い温度に加熱し、給湯機８の最大加熱温度は８０〔℃〕とする。
【０１０８】
そこで、システム給湯設定温度はたとえば、６０〔℃〕以下、６５〔℃〕、７０〔℃〕、７５〔℃〕の温度設定とする。温度センサ１６−１の検出温度Ｔ１の判定では、システム給湯設定温度が６０〔℃〕以下であれば、ＴＳ１＝６３〔℃〕、システム給湯設定温度が６５〔℃〕であれば、ＴＳ１＝６８〔℃〕、システム給湯設定温度が７０〔℃〕であれば、ＴＳ１＝７３〔℃〕、システム給湯設定温度が７５〔℃〕であれば、ＴＳ１＝７８〔℃〕に設定する。
【０１０９】
Ｔ１＜ＴＳ１でなければ（Ｓ３０３のＮＯ）、Ｓ３０１に戻り、Ｔ１＜ＴＳ１であれば（Ｓ３０３のＹＥＳ）、タンク１０側に給水が発生したかを判定する（Ｓ３０４）。水量センサ２２−１の検出流量とミキシング弁２０−５の分配比率によりタンク給水の有無を判定することができる。タンク給水が発生していなければ（Ｓ３０４のＮＯ）、給湯ポンプ２６−２を給湯機最小燃焼流量たとえば、３〔リットル／分〕を確保する回転数に低減させる（Ｓ３０５）。これにより、給湯機８の動作時間を確保し、また、給湯機８の燃焼量を最小燃焼量に抑えることができる。
【０１１０】
タンク１０側に給水が発生していれば（Ｓ３０４のＹＥＳ）、給湯ポンプ２６−２を設定回転数に制御する（Ｓ３０６）。給湯ポンプ２６−２の設定回転数は、水量センサ２２−１の検出水量と、ミキシング弁２０−５の分配比率によるタンク１０への給水量を演算して算出すればよい。この演算値を基準とした流量になるように給湯ポンプ２６−２の回転数を制御すればよい。これにより、給湯使用分の流量を確保することができる。
【０１１１】
給湯ポンプ２６−２の回転と給湯機８の動作とは連動させている。つまり、給湯ポンプ２６−２の回転数に応じて給湯機８の水量センサ２２−２の検出水量が変化する。この検出水量の変化に応じて、バーナ３６の燃焼量が給湯機制御部３８−３により制御される。
【０１１２】
Ｓ３０５またはＳ３０６の処理の後、温度センサ１６−２の検出温度Ｔ２が比較温度ＴＳ２以上であるか（Ｔ２≧ＴＳ２）を判定する（Ｓ３０７）。この場合、既述のシステム給湯設定温度はたとえば、６０〔℃〕以下、６５〔℃〕、７０〔℃〕、７５〔℃〕の温度設定とすれば、給湯機８の戻り管２８−２からの出湯設定温度は、ＴＨ＝６０〔℃〕以下：７０〔℃〕、ＴＨ＝６５〔℃〕：７５〔℃〕、ＴＨ＝７０または７５〔℃〕：８０〔℃〕に設定する。これにより、温度センサ１６−２の検出温度Ｔ２の判定では、システム給湯設定温度が６０〔℃〕以下であれば、ＴＳ２＝６３〔℃〕、システム給湯設定温度が６５〔℃〕であれば、ＴＳ２＝６８〔℃〕、システム給湯設定温度が７０〔℃〕であれば、ＴＳ２＝７３〔℃〕、システム給湯設定温度が７５〔℃〕であれば、ＴＳ２＝７８〔℃〕に設定すればよい。この実施例では、ＴＳ１＝ＴＳ２に設定されている。
【０１１３】
Ｔ２≧ＴＳ２でなければ（Ｓ３０７のＮＯ）、Ｓ３０４に戻り、Ｓ３０４〜Ｓ３０７の処理を継続する。
【０１１４】
そして、Ｔ２≧ＴＳ２であれば（Ｓ３０７のＹＥＳ）、給湯ポンプ２６−２を停止し（Ｓ３０８）、Ｓ３０１に戻り、処理を継続する。検出温度Ｔ１を給湯ポンプ２６−２の回転開始の条件とし、検出温度Ｔ２を回転停止の条件とすることで、給湯ポンプ２６−２の頻繁なオン／オフを回避することができる。
【０１１５】
（省エネモード）
【０１１６】
Ｓ３０２において、動作モードが通常モードでなければ（Ｓ３０２のＮＯ）、動作モードが省エネモードであるかを判定する（Ｓ３０９）。動作モードが省エネモードであれば（Ｓ３０９のＹＥＳ）、温度センサ１６−１の検出温度Ｔ１が既述の比較温度ＴＳ１未満（Ｔ１＜ＴＳ１）であるか判定する（Ｓ３１０）。
【０１１７】
Ｔ１＜ＴＳ１でなければ（Ｓ３１０のＮＯ）、Ｓ３０１に戻り、Ｔ１＜ＴＳ１であれば（Ｓ３１０のＹＥＳ）、タンク１０側への給水の有無を判定する（Ｓ３１１）。タンク１０側に給水が発生していれば（Ｓ３１１のＹＥＳ）、給湯ポンプ２６−２を既述の設定回転数に制御する（Ｓ３１２）。
【０１１８】
温度センサ１６−２の検出温度Ｔ２が既述の比較温度ＴＳ２以上であるか（Ｔ２≧ＴＳ２）を判定する（Ｓ３１３）。Ｔ２≧ＴＳ２でなければ（Ｓ３１３のＮＯ）、Ｓ３１１に戻り、Ｓ３１１〜Ｓ３１３の処理を継続する。
【０１１９】
そして、Ｔ２≧ＴＳ２であれば（Ｓ３１３のＹＥＳ）、給湯ポンプ２６−２を停止し（Ｓ３１４）、Ｓ３０１に戻り、処理を継続する。検出温度Ｔ１を給湯ポンプ２６−２の回転開始の条件とし、検出温度Ｔ２を回転停止の条件とすることで、給湯ポンプ２６−２の頻繁なオン／オフを回避することができる。
【０１２０】
Ｓ３１１でタンク給水が発生していなければ（Ｓ３１１のＮＯ）、給湯ポンプ２６−２を停止し（Ｓ３１４）、Ｓ３０１に戻り、処理を継続する。
【０１２１】
（オフモード）
【０１２２】
Ｓ３０９において、動作モードが省エネモードでなければ（Ｓ３０９のＮＯ）、温度センサ１６−１の検出温度Ｔ１が既述の比較温度ＴＳ１未満（Ｔ１＜ＴＳ１）であるか判定する（Ｓ３１５）。
【０１２３】
Ｔ１＜ＴＳ１でなければ（Ｓ３１５のＮＯ）、Ｓ３０１に戻り、Ｔ１＜ＴＳ１であれば（Ｓ３１５のＹＥＳ）、タンク１０側への給水の有無を判定する（Ｓ３１６）。タンク１０側に給水が発生していれば（Ｓ３１６のＹＥＳ）、既述の設定回転数よりも回転数を割増した割増回転数に給湯ポンプ２６−２を制御する（Ｓ３１７）。給湯ポンプ２６−２の回転数を割り増すことで、タンク１０の上層部ＤＨに早期に蓄熱することができ、タンク１０に温水ＨＷがなくても給湯消費に対応することができる。
【０１２４】
温度センサ１６−２の検出温度Ｔ２が既述の比較温度ＴＳ２以上であるか（Ｔ２≧ＴＳ２）を判定する（Ｓ３１８）。Ｔ２≧ＴＳ２でなければ（Ｓ３１８のＮＯ）、Ｓ３１６に戻り、Ｓ３１６〜Ｓ３１８の処理を継続する。
【０１２５】
そして、Ｔ２≧ＴＳ２であれば（Ｓ３１８のＹＥＳ）、給湯ポンプ２６−２を停止し（Ｓ３１９）、Ｓ３０１に戻り、処理を継続する。検出温度Ｔ１を給湯ポンプ２６−２の回転開始の条件とし、検出温度Ｔ２を回転停止の条件とすることで、給湯ポンプ２６−２の頻繁なオン／オフを回避することができる。
【０１２６】
Ｓ３１６でタンク給水が発生していなければ（Ｓ３１６のＮＯ）、給湯ポンプ２６−２を停止し（Ｓ３１９）、Ｓ３０１に戻り、処理を継続する。
【０１２７】
上記処理手順を実行すれば、通常モードでは、タンク１０の下層側温度に基づき、加熱効率の高いＨＰ６を動作させ、タンク１０の上層部ＤＨから下層部ＤＬまでのタンク１０の全体を利用して温水ＨＷで蓄熱することができ、この温水ＨＷを給湯に用いることができる。通常モードでは、常時、ＨＰ６の加熱能力に応じて蓄熱が行われ、給湯需要が増大し、温水ＨＷの上層側温度が低下した場合には、給湯機８を動作させ、給湯機８による加熱によって、温水ＨＷの温度を上昇させ、給湯需要に応じることができる。また、給湯需要がないため、タンク１０の貯湯水に温度分布を生じ、上層側温度が低下した場合にも給湯機８を動作させ、給湯機８による加熱によって温水ＨＷの温度を上昇させる。これにより、通常時の給湯需要を遙かに凌ぐ急激な給湯需要に対し、即応することができる。
【０１２８】
省エネモードでは、Ｓ２１２に示すように、温度センサ１６−１の検出温度Ｔ１をＨＰポンプ２６−１の起動条件に含んでいる。このため、タンク１０の上層部ＤＨの温度が高い場合にはＨＰ６による加熱を行うことがない。Ｓ２１９に示すように、温度センサ１６−２の検出温度Ｔ２をＨＰポンプ２６−１の停止に用いることで、タンク１０の上層部ＤＨおよび中上層部ＤＭを利用して温水ＨＷで蓄熱する。また、給水が発生している場合にのみ給湯ポンプ２６−２が回転し、給湯機８が加熱制御されることとなる。これらの処理により、タンク１０からの放熱ロスが抑制されるとともに、タンク１０の上層部ＤＨおよび中上層部ＤＭでの蓄熱により、急な給湯消費に対応することができる。
【０１２９】
オフモードでは、ＨＰ６が動作することがなく、基本的には加熱された温水ＨＷの貯湯が行われることがない。また、省エネモードと同様に給水が発生している場合にのみ給湯ポンプ２６−２が回転し、給湯機８が加熱制御されることとなる。これらの処理により、タンク１０からの放熱ロスを一層抑制することができるとともに、給湯ポンプ２６−２を割増回転数で動作させて給湯機８での燃焼を割増すことで、タンク１０の蓄熱によらずに急な給湯消費に対応することができる。
【０１３０】
＜動作モードの切り替え＞
【０１３１】
動作モードはたとえば、プロセッサ４０−１のカレンダ機能やタイマー機能を利用して予め設定され、この設定に基づいて切り替えられる。
【０１３２】
図１０は、給湯消費に対する動作モードの設定の一例を示している。図１０のＡに示す給湯消費では、前日の５時台から２２時台の間で給湯消費が発生し、翌日の６時台から給湯消費が発生している。このような給湯消費に対し、図１０のＢに示すように給湯消費が発生する給湯消費時間、たとえば５時から２３時までは通常モードに設定し、常にタンク１０内に一定量の温水ＨＷを確保する。これに対し、給湯消費時間外であるたとえば、２３時から翌日５時までは省エネモードまたはオフモードに設定し、タンク１０内の蓄熱を制限する。この制限により、タンク１０内の温水ＨＷの放熱によるロスを抑制する。これらのモード設定は、タンク制御部３８−１のメモリ部４２−１に記憶させればよく、ＨＰ６および給湯機８の蓄熱制御時に、メモリ部４２−１を参照して動作モードの判断を行えばよい。
【０１３３】
タイマー機能とともにカレンダ機能を用いて、動作モードを日ごとまたは曜日ごとに設定するようにしてもよい。カレンダ機能を用いれば、平日と休日とでは給湯消費時間が異なる家庭または事業所において、平日または休日の給湯消費に応じて、動作モードを設定することができる。
【０１３４】
また、リモコン装置４８に備えられるスイッチ５２等により、動作モードの設定切替えを行ってもよい。
【０１３５】
＜給湯機８動作中の給湯＞
【０１３６】
図１１は、給湯機８が動作中の給湯を示している。図１１では、ＨＰ６およびその循環路２４は省略している。図１１では、温水ＨＷの給湯機８への供給、給湯機８からの出湯、タンク１０への還流を矢印で示し、上水Ｗの給水から温水ＨＷの給湯は、中抜きされた矢印で示している。
【０１３７】
給湯機８から出湯した温水ＨＷは、一旦タンク１０の上層部ＤＨに戻され、その後タンク１０の上層部ＤＨで、タンク１０内の温水ＨＷと混合し、タンク１０から出湯されている。このため、給湯機８から出湯した温水ＨＷが直接出湯路１８−１に流れ込むことがなく、給湯機８が及ぼす出湯路１８−１の圧力変動が少ない。つまり、給湯機８の動作に関わらず出湯路１８−１の圧力が安定する。
【０１３８】
図１１に示すように、給湯機８から出湯した温水ＨＷをタンク１０に戻すとすれば、ミキシング弁２０−５による上水Ｗと温水ＨＷの混合比の曲線特性が、配管経路の圧力変動の影響を受けることがなく、安定することになる。つまり、上水Ｗの混合後の混合水温度を安定させることができる。
【０１３９】
＜実施例の効果＞
【０１４０】
上記実施例によれば、次の効果が得られる。
【０１４１】
(1) 省エネモードでは、ＨＰ６でタンク１０の上層側の貯湯水のみを加熱するので、下層側の貯湯水からの放熱が抑制され、放熱によるロスを抑制することができる。また、給湯時に上層側温度に基づいて給湯機８が動作するので、タンク１０の上層側の貯湯水のみが加熱されている場合であっても、安定して給湯することができる。
【０１４２】
(2) 通常モードでは、給湯消費により、タンク１０の温水温度が低下すれば、タンク１０の下層水をＨＰ６に循環させて加熱し、ＨＰ６の蓄熱制御によりタンク１０の高温範囲を拡大することができる。また、タンク１０の中層水を給湯機８に循環させて加熱し、給湯機８の蓄熱制御によりタンク１０の高温範囲を拡大させることができる。これにより、給湯および給水によるタンク１０の温度低下を解消し、急増する給湯消費に応じることができる。
【０１４３】
(3) 給湯機８の蓄熱制御により、ＨＰ６の加熱能力を補完することができるので、給湯消費が変化しても出湯温度が変動することがなく、安定した出湯温度を実現することができる。
【０１４４】
(4) オフモードでは、基本的には加熱された温水ＨＷの貯湯が行われることがなく、タンク１０からの放熱ロスを一層抑制することができる。給湯時に割増回転数で給湯ポンプ２６−２を動作させ、給湯機８での燃焼を割増すので、タンク１０の蓄熱によらずに急な給湯消費に対応することができる。
【０１４５】
(5) タンク１０の温水加熱をＨＰ６と給湯機８に分担させることができ、両者を以て相補的な加熱動作ができる。給湯機８では中層水をタンク１０から流出させて加熱するので、給湯需要に応じた加熱動作を実現でき、タンク１０の容量を必要最小容量に抑えることができ、ＨＰ６および給湯機８の相補的な加熱動作でタンク１０の大容量化を回避できる。
【０１４６】
(6) タンク１０の温水加熱をＨＰ６と給湯機８とに加熱分担させるので、ＨＰ６および給湯機８の各加熱能力を抑制でき、タンク１０、ＨＰ６および給湯機８の小型化および小容量化を実現でき、給湯システム２のコンパクト化を図ることができる。
【０１４７】
(7) 給湯機８はＨＰ６に比較して加熱能力が高く、ＨＰ６は給湯機８に対して加熱効率が高いので、これらの特性を相補的に生かして給湯システム２の高効率化を実現できる。
【０１４８】
〔変形例〕
【０１４９】
上記実施の形態および実施例では、各動作モードに応じてＨＰ６および給湯機８の蓄熱制御を異ならせていたが、給湯消費が見込まれない時間帯にタンク１０の蓄熱が抑制されれば良く、他の制御であってもよい。
【０１５０】
図１２は、変形例に係る給湯制御の処理手順を示している。この処理手順は給湯プログラムにより実行される処理や、給湯方法の一例である。給湯システム２のハードウェア構成は上記実施の形態および実施例と同様であるのでその説明を省略する。
【０１５１】
この処理手順では、給水の有無を判定する（Ｓ４０１）。この給水ないし給湯の有無は、水量センサ２２−１の検出により行えばよい。この給水は給湯に連動しており、給湯時、タンク１０に給水が行われる。この給水がなければ（Ｓ４０１のＮＯ）、給水があるまで待機する。
【０１５２】
給水があれば（Ｓ４０１のＹＥＳ）、温度センサ１６−１の検出温度Ｔ１が比較温度ＴＳ１としてたとえば、既述のＴＳ１未満（Ｔ１＜ＴＳ１）であるか判定する（Ｓ４０２）。
【０１５３】
Ｔ１＜ＴＳ１でなければ（Ｓ４０２のＮＯ）、既述のＦＦ制御により、ミキシング弁２０−５の開度比率を調整し（Ｓ４０３）、設定された給湯温度での給湯を行う。ミキシング弁２０−５の開度比率は、既述のＦＢ制御により調整してもよく、ＦＦ制御およびＦＢ制御の両方により調整してもよい。開度比率の調整後、Ｓ４０１に戻り、処理を継続する。
【０１５４】
Ｔ１＜ＴＳ１であれば（Ｓ４０２のＹＥＳ）、給湯ポンプ２６−２を既述の設定回転数に制御し（Ｓ４０４）、給湯機８を連動により動作させ、タンク１０の上層部ＤＨに温水ＨＷを供給する。給湯機８を動作させることで、加熱された温水ＨＷが不足する湯切れ状態の発生を防止する。給湯ポンプ２６−２を設定回転数に制御した後、給湯設定温度に応じてミキシング弁２０−５の開度比率を調整する（Ｓ４０５）。
【０１５５】
開度比率の調整後、温度センサ１６−２の検出温度Ｔ２が既述の比較温度ＴＳ２以上であるか（Ｔ２≧ＴＳ２）を判定する（Ｓ４０６）。Ｔ２≧ＴＳ２でなければ（Ｓ４０６のＮＯ）、Ｓ４０４に戻り、Ｓ４０４〜Ｓ４０６の処理を継続する。
【０１５６】
そして、Ｔ２≧ＴＳ２であれば（Ｓ４０６のＹＥＳ）、給湯ポンプ２６−２を停止し（Ｓ４０７）、Ｓ４０１に戻り、処理を継続する。
【０１５７】
図１３は、変形例に係る蓄熱制御の処理手順を示している。この処理手順は給湯プログラムにより実行される処理や、給湯方法の一例である。
【０１５８】
この処理手順では、給湯消費時間の開始かを判定する（Ｓ５０１）。給湯消費時間の開始時間であれば（Ｓ５０１のＹＥＳ）、ＨＰポンプ２６−１を運転するとともにＨＰ６を動作させる（Ｓ５０２）。ＨＰポンプ２６−１はたとえば、ＨＰポンプ２６−１の回転数を温度センサ１６−１０の検出温度Ｔ１０が既述の温度ＴＨ（Ｔ１０＝ＴＨ）になるように制御する。検出温度Ｔ１０に代えて温度センサ１６−１１の検出温度Ｔ１１を使用して、ＨＰポンプ２６−１の回転数を制御してもよい。
【０１５９】
ＨＰポンプ２６−１の動作後、給湯消費時間の終了かを判定する（Ｓ５０３）。給湯消費時間の終了時間でなければ（Ｓ５０３のＮＯ）、Ｓ５０２に戻り、Ｓ５０２〜Ｓ５０３の処理を継続する。給湯消費時間の終了時間であれば（Ｓ５０３のＹＥＳ）、ＨＰポンプ２６−１およびＨＰ６を停止し（Ｓ５０４）、Ｓ５０１に戻る。
【０１６０】
これらの処理手順によれば、給湯に際し、タンク１０内の温水ＨＷを優先して利用し、温水ＨＷが不足する場合に給湯機８を動作するようにしている。給湯時には、上層側温度に基づいて給湯機８が動作するので、タンク１０による貯湯に関わらず、給湯することができる。
【０１６１】
給湯消費時間に応じて、加熱効率が高いＨＰ６を動作させ、給湯消費時間内は常にタンク１０内に温水ＨＷを一定量確保するようにしている。ＨＰ６の動作時間を設定された給湯消費時間内に制限するので、給湯消費時間外での蓄熱による放熱ロスが抑制される。給湯消費時間の制御は第１のモードの一例であり、給湯消費時間外の制御は第３のモードの一例であり、これらの処理により、タンク１０からの放熱が抑制され、放熱によるロスを抑制することができる。
【０１６２】
タンク１０が蓄熱されていない状態から給湯を行う場合に、給湯温度の立ち上がりを改善するため、図１４に示す給湯機８の蓄熱制御を行ってもよい。
【０１６３】
この処理手順は、第２のモードの一例であり、この処理手順では、たとえばリモコン装置４８に備えられる制御スイッチが動作指示（スイッチのオン）であるかを判定する（Ｓ６０１）。制御スイッチが動作指示でなければ、つまり停止指示（スイッチのオフ）であれば、Ｓ６０１に戻り、Ｓ６０１を繰り返す。
【０１６４】
動作指示であれば（Ｓ６０１のＹＥＳ）、給湯消費時間外であるかを判定する（Ｓ６０２）。給湯消費時間外でなければ（Ｓ６０２のＮＯ）、Ｓ６０１に戻り、給湯消費時間外であれば（Ｓ６０２のＹＥＳ）、この蓄熱制御の開始から設定時間ＴＣが経過したかを判定する（Ｓ６０３）。この設定時間ＴＣはこの蓄熱制御による制御時間を適正にするための時間設定であり、たとえば６０〔分〕に設定される。設定時間ＴＣが経過すれば（Ｓ６０３のＹＥＳ）、給湯機８による蓄熱制御を終了させる（Ｓ６０４）。つまり、制御スイッチを停止指示に切り替え、Ｓ６０１に戻る。この設定時間ＴＣでの制御終了処理により、給湯機８による変則的（イレギュラー）な蓄熱制御を設定時間ＴＣで自動的に終了させ、この蓄熱制御の終了忘れを回避することができる。
【０１６５】
設定時間ＴＣが経過していなければ（Ｓ６０３のＮＯ）、温度センサ１６−１の検出温度Ｔ１が比較温度ＴＳ１としてたとえば、既述のＴＳ１未満（Ｔ１＜ＴＳ１）であるか判定する（Ｓ６０５）。
【０１６６】
Ｔ１＜ＴＳ１でなければ（Ｓ６０５のＮＯ）、Ｓ６０１に戻る。この場合、給湯機８による蓄熱は行わない。Ｔ１＜ＴＳ１であれば（Ｓ６０５のＹＥＳ）、給湯ポンプ２６−２を既述の設定回転数に制御し（Ｓ６０６）、給湯機８の動作により、タンク１０の上層部ＤＨに温水ＨＷを供給する。
【０１６７】
給湯ポンプ２６−２を設定回転数に制御した後、温度センサ１６−２の検出温度Ｔ２が既述の比較温度ＴＳ２以上であるか（Ｔ２≧ＴＳ２）を判定する（Ｓ６０７）。Ｔ２≧ＴＳ２でなければ（Ｓ６０７のＮＯ）、Ｓ６０６に戻り、Ｓ６０６〜Ｓ６０７の処理を継続する。
【０１６８】
そして、Ｔ２≧ＴＳ２であれば（Ｓ６０７のＹＥＳ）、給湯ポンプ２６−２を停止し（Ｓ６０８）、Ｓ６０１に戻り、処理を継続する。なお、Ｓ６０６では、給湯ポンプ２６−２を回転させて給湯機８を動作させたが、ＨＰポンプ２６−１およびＨＰ６を動作させてもよく、給湯機８およびＨＰ６の両方を動作させてもよい。この場合、加熱効率または加熱能力に優れる蓄熱を実現することができる。
【０１６９】
このような制御処理を備えれば、給湯を望むユーザが給湯要求前に制御スイッチを操作することで、給湯に先駆けタンク１０の上層部ＤＨに蓄熱することができ、給湯要求時の出湯時間を短縮させることができる。つまり、ＨＰ６および給湯機８がいずれも停止中であり、かつタンク１０が冷却状態での給湯消費の場合に、給湯温度の立ち上がり時間を短縮することができる。
【０１７０】
この処理手順は、上記実施の形態のオフモードにも適用することができる。上記実施の形態のオフモードに適用する場合には、Ｓ６０２での給湯消費時間外であるかの判定に代えて、動作モードが通常モードおよび省エネモードのいずれでもないことを判定すれば良い。動作モードが通常モードおよび省エネモードのいずれかであれば、Ｓ６０１に戻り、通常モードおよび省エネモードのいずれでもなければ、時間ＴＣの経過判定に移行すればよい。
【０１７１】
〔他の変形例〕
【０１７２】
(1) 上記実施の形態および実施例では動作モードを設定し、この動作モードに基づきＨＰ６および給湯機８の蓄熱制御を切り替えているが、上記変形例に示すように、給湯消費時間を設定し、給湯消費時間かまたは給湯消費時間外かにより蓄熱制御を切り替えるようにしてもよい。また、上記変形例では給湯消費時間を設定し、給湯消費時間かまたは給湯消費時間外かにより蓄熱制御を切り替えるようにしているが、上記実施の形態および実施例に示すように、動作モードを設定し、この動作に基づき蓄熱制御を切り替えるようにしてもよい。
【０１７３】
(2) 蓄熱制御は、給湯消費量に応じて切り替えることができれば良く、給湯消費量に関連する他の判定指標を用いて切り替えるようにしてもよい。既述の動作モード、および給湯消費時間に限定されるものではない。リモコン装置４８に蓄熱制御を切り替える切替えスイッチを設けて、この切替えスイッチの手動操作により蓄熱制御を切り替えるようにしてもよい。また、タンク制御部３８−１が給湯消費の推移に基づく学習機能を備え、給湯消費状況を自己学習して判定指標を生成するようにしてもよい。
【０１７４】
(3) 上記実施の形態、実施例および変形例では、給湯ポンプ２６−２の回転を契機に給湯機制御部３８−３により給湯機８を動作させているが、給湯機制御部３８−３に直接給湯機８の動作、停止を指示するようにしてもよい。また、上記実施の形態、実施例および変形例では、ＨＰ６の動作、停止を直接指示するようにしているが、ＨＰポンプ２６−１の回転を契機にＨＰ制御部３８−２によりＨＰ６を動作させるようにしてもよい。
【０１７５】
(4) 給湯機８の循環流量について、上記実施の形態および変形例では、給湯機８の動作期間を検出温度によって制御しているが、検出温度によって動作を開始した後、給湯機８の循環流量を水量センサ２２−１の検出水量に応じて動作を終了させる制御としてもよい。
【０１７６】
(5) 給湯機８の動作時間について、上記実施の形態、実施例および変形例では、給湯機８の動作期間を検出温度によって制御しているが、検出温度によって動作を開始した後、給湯機８の動作時間をプロセッサ４０−１のタイマー機能を利用し、中層水の循環時間に応じて動作を終了させる制御としてもよい。
【０１７７】
(6) 上記実施の形態、実施例および変形例では、単一のＨＰ６と給湯機８を用いたが、複数の給湯機を併用してもよい。給湯機８には燃焼排気の潜熱を回収する高効率給湯機を用いてもよい。
【０１７８】
(7) 上記実施の形態、実施例および変形例のＨＰ６と給湯機８の熱源機に加え、電熱による熱交換器を併用してもよい。
【０１７９】
(8) 上記実施の形態、実施例および変形例では、給湯機８にタンク１０の中層水を供給するようにしたが、ＨＰ６と同様に、タンク１０の下層側に備えられる水流出ポート１２−３から下層水を供給するようにしてもよい。
【０１８０】
(9) 上記実施例では、給湯制御、ＨＰ６の蓄熱制御および給湯機８の蓄熱制御をタンク制御部３８−１で行うが、これらの制御は、ハイブリッド制御部３８の全体で行ってもよく、タンク制御部３８−１、ＨＰ制御部３８−２、給湯機制御部３８−３、リモコン制御部３８−４のいずれかまたは一部で行ってもよい。上記実施例と同様に、上記変形例では、給湯制御、蓄熱制御および給湯機８の蓄熱制御をハイブリッド制御部３８の全体で行ってもよく、タンク制御部３８−１、ＨＰ制御部３８−２、給湯機制御部３８−３、リモコン制御部３８−４のいずれかまたは一部で行ってもよい。
【０１８１】
以上の通り、本発明の技術の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【０１８２】
本発明は、ヒートポンプなどの熱源機の加熱能力と給湯機などの熱源機の加熱能力の併用により、高効率で安定した給湯能力を持つ給湯システムを実現でき、有用である。
【符号の説明】
【０１８３】
２  ハイブリッド給湯システム
４  タンク部
６  ヒートポンプ（ＨＰ）
８  給湯機
９  制御部
１０  貯湯タンク（タンク）
１２−１  出湯ポート
１２−２  給水ポート
１２−３、１２−４  水流出ポート
１２−５、１２−６  温水戻しポート
１４−１  第１の邪魔板
１４−２  第２の邪魔板
１６−１、１６−２、１６−３、１６−４、１６−５、１６−６、１６−７、１６−８、１６−９、１６−１０、１６−１１、１６−１２、１６−１３、１６−１４  温度センサ
１８−１  出湯路
１８−２  給水路
１８−３  バイパス路
２０−１  加圧逃がし弁
２０−２  混合水規制弁
２０−３  減圧弁
２０−４  給水逆止弁
２０−５  ミキシング弁
２０−６  タンク逆止弁
２０−７  加熱水切替弁
２０−８  ミキシング弁
２０−９  混合水規制弁
２２−１  水量センサ
２４  ヒートポンプ循環路（循環路）
２４−１  往き管
２４−２  戻り管
２４−３  バイパス路
２６−１  ＨＰポンプ
２６−２  給湯ポンプ
２８  給湯機循環路（循環路）
２８−１  往き管
２８−２  戻り管
２８−３  バイパス路
３０  ＨＰ回路
３２  ＨＰ熱交換器
３４  熱交換器
３６  バーナ
３８  ハイブリッド制御部
３８−１  タンク制御部
３８−２  ＨＰ制御部
３８−３  給湯機制御部
３８−４  リモコン制御部
４０−１、４０−２、４０−３、４０−４  プロセッサ
４２−１、４２−２、４２−３、４２−４  メモリ部
４４−１、４４−２、４４−３、４４−４  システム通信部
４６−１、４６−２、４６−３、４６−４  入出力部（Ｉ／Ｏ）
４８  リモコン装置
５０  通信ケーブル
５２  入力スイッチ（ＳＷ）
５４  操作表示部
５６  ＬＥＤ表示器
【図１】
2019200044.tif 000003
【図２】
2019200044.tif 000004
【図３】
2019200044.tif 000005
【図４】
2019200044.tif 000006
【図５】
2019200044.tif 000007
【図６】
2019200044.tif 000008
【図７】
2019200044.tif 000009
【図８】
2019200044.tif 000010
【図９】
2019200044.tif 000011
【図１０】
2019200044.tif 000012
【図１１】
2019200044.tif 000013
【図１２】
2019200044.tif 000014
【図１３】
2019200044.tif 000015
【図１４】
2019200044.tif 000016